(57)【要約】【課題】時刻を表示する時刻表示部を備える受信装置において、時刻表示部の時刻の表示を短時間で簡単に補正することができる受信装置を提供する。【解決手段】ＦＭ信号同調部と、受信周波数を設定する周波数設定部と、受信周波数を記憶する第１の記憶部と、予め複数の周波数データを記憶する第２の記憶部と、時刻の補正を指示する指示信号を出力する指示信号出力部と、指示信号出力部から指示信号が出力されると受信周波数を変更するよう制御する制御部と、放送信号から時刻情報を抽出する時刻信号抽出部と、時刻信号抽出部が時刻信号を抽出できたか否かを判別する抽出可否判別部とを備え、第２の記憶部は、予め記憶した受信周波数毎に周波数設定部が設定した設定回数及び抽出可否判別部が判別した判別信号の回数を記憶し、制御部は、第２の記憶部に記憶した設定回数及び判別信号に基づいて周波数設定部が設定する受信周波数を選定するよう制御する。【選択図】　　　図１
2004069567.tif 000002
【特許請求の範囲】
【請求項１】
時刻を表示する時刻表示部を備える受信装置において、時刻情報を含むＦＭ信号を受信するＦＭ信号同調部と、前記ＦＭ信号同調部が受信するＦＭ信号の受信周波数を設定する周波数設定部と、前記周波数設定部が設定する受信周波数を周波数データとして記憶する第１の記憶部と、予め複数の周波数データを記憶する第２の記憶部と、前記時刻表示部が表示する時刻の補正を指示する指示信号を出力する指示信号出力部と、前記指示信号出力部から指示信号が出力されると前記周波数設定部が設定する受信周波数を前記第２の記憶部に記憶した周波数データの中から選定するよう制御する制御部と、前記ＦＭ信号同調部が受信した電波から時刻信号を抽出する時刻信号抽出部と、前記時刻信号抽出部が時刻信号を抽出できたか否かを判別し抽出の可否を示す判別信号を出力する抽出可否判別部とを備え、前記第２の記憶部は、予め記憶した周波数データ毎に前記周波数設定部が設定した設定回数及び前記抽出可否判別部が時刻情報を抽出したことを示す判別信号を出力した回数を記憶し、前記制御部は、前記第２の記憶部に記憶した設定回数及び判別信号を出力した回数に基づき予め記憶した周波数データ毎の時刻情報を抽出する割合の値を算出し、当該算出した値の高い周波数データを前記周波数設定部が設定する受信周波数とするよう制御することを特徴とする受信装置。
【請求項２】
請求項１記載の受信装置において、前記制御部は、前記抽出可否判別部が時刻情報を抽出したことを示す判別信号を出力すると、前記第１の記憶部に記憶した周波数データを前記周波数設定部が設定する受信周波数とするよう制御することを特徴とする受信装置。
【請求項３】
請求項１または請求項２記載の受信装置において、前記制御部は、前記抽出可否判別部から時刻情報を抽出できないことを示す判別信号が出力されると、前記周波数設定手段が設定する受信周波数を変更して設定するよう制御することを特徴とする受信装置。
【発明の詳細な説明】
【０００１】
【発明の属する技術分野】
本発明は、時刻を表示する時刻表示部を備える受信装置に関する。
【０００２】
【従来の技術】
従来のＦＭ放送の中には、ＦＭ多重放送やＲＤＳ（Ｒａｄｉｏ　Ｄａｔａ　Ｓｙｓｔｅｍ）データを送信するＦＭ放送等、番組の内容を示す主信号と共に時刻情報を含んだ信号を電波として放送するＦＭ放送がある。従来、時刻を表示する時刻表示部を備える受信装置においては、この時刻情報を含んだ信号を受信し、時刻情報を取り出し、取り出した時刻情報によって時刻表示部に表示する時刻を補正している。
【０００３】
従来の受信装置について図面を参照して説明する。
図２は、従来の受信装置の構成を示すブロック図である。
受信装置１００は、受信部２、周波数設定部３、ＦＭ信号復調部４、信号増幅部５、操作部９、時計部１０、表示部１１、出力部１２、時刻信号抽出部６００及び制御部８００を備える。
【０００４】
受信部２は、ＦＭ放送局が放送するＦＭ信号を受信する。操作部９は、受信を希望するＦＭ放送の周波数を指示する周波数指示信号を出力する。
【０００５】
周波数設定部３は、周波数指示信号によって指示された周波数帯域のＦＭ放送を受信部２が受信するよう周波数を設定し、受信部２が受信したＦＭ信号をＦＭ信号復調部４へ出力する。ＦＭ信号復調部４は、入力したＦＭ信号からオーディオ信号を復調し、信号増幅部５へ出力する。信号増幅部５は、入力したオーディオ信号を増幅し、出力部１２へ出力する。出力部１２は、入力したオーディオ信号を出力する。
【０００６】
時計部１０は、水晶発振回路を備え、当該水晶発振回路から予め定めた一定間隔のパルス信号を発生し、発生したパルス信号をカウントすることによって時刻情報を生成する。表示部１１は、時計部１０によって生成された時刻情報を表示する。
【０００７】
操作部９は、表示部１１によって表示される時刻情報の補正を指示する補正指示信号を出力する。時刻信号抽出部６００は、周波数設定部３からＦＭ信号復調部４へ入力されたＦＭ信号から時刻情報を抽出し、制御部８００へ出力する。制御部８００は、時刻信号抽出部６００から出力された時刻情報に基づいて、時刻情報を補正するよう時計部１０を制御する。
【０００８】
以上の構成により、受信装置１００は、操作部９によって指示された特定の周波数のＦＭ放送を受信し、オーディオ信号として出力部１２から出力することができる。また、受信装置１００は、水晶発振回路によって発信したパルス信号の発振周波数の誤差によって、時計部１０が生成する時刻情報の誤差が時間が経つにつれて蓄積され、表示部１１によって表示する時刻情報の誤差が大きくなった場合、操作部９によって表示部１１が表示する時刻情報の補正を指示することによって、ＦＭ信号に含まれる時刻情報に基づいて表示部１１が表示する時刻を補正することができる。
【０００９】
【発明が解決しようとする課題】
現在、ＦＭ放送の中には、前述したような時刻情報を含んだ信号を電波として放送するＦＭ多重放送やＲＤＳデータを送信するＦＭ放送と、時刻情報を含まない主信号のみを電波として放送するＦＭ放送がある。
【００１０】
受信装置１００によって、時刻情報を含むＦＭ放送を受信しているときに表示部１１に表示される時刻の表示を補正しようとする場合は、操作部９によって補正指示信号を出力することにより、受信しているＦＭ放送のＦＭ信号に含まれている時刻情報を抽出することによって、表示部１１の時刻の表示を補正することができる。
【００１１】
しかしながら、受信装置１００によって、時刻情報を含まないＦＭ放送を受信している場合は、操作部９から補正指示信号を出力しても表示部１１に表示する時刻を補正できない。時刻情報を含まないＦＭ放送を受信している状態で、表示部１１に表示する時刻を補正する場合は、初めに、操作部９を操作し、受信周波数を時刻情報を含むＦＭ放送の周波数に変更し、次に、操作部９を操作して補正指示信号を出力する。そして、表示部１１が表示する時刻情報を補正してから、再度、操作部９を操作して受信周波数を元の周波数に戻す。
【００１２】
このように、従来の受信装置１００では、時刻情報を含まないＦＭ放送を受信し聴取している場合は、表示部１１に表示する時刻を補正する複雑な多数の作業を必要とした。
【００１３】
従来の受信装置には、特開２００１−２５５３８６号公報に記載されている電子機器のように、操作することによって時刻情報を含むＦＭ信号を検索し受信周波数を設定した後、当該受信したＦＭ信号から時刻情報が抽出できる場合には、当該時刻情報を抽出し、当該放送信号から時刻情報が抽出できない場合には、再度、他の時刻情報を含むＦＭ信号を検索する構成の受信装置が知られている。
【００１４】
ＦＭ多重放送及びＲＤＳデータを送信するＦＭ放送が送信する時刻情報の信号は、秒の単位が０秒となる毎に現在の時刻が何時何分であるかを示す信号を１分毎に送信する。
【００１５】
従来の受信装置は、時刻情報を含む放送信号を受信した場合、周囲に障害物がある等の理由により、その受信した放送信号が微弱であったり、放送信号を受信できるときと受信できないときを繰り返す場合がある。このため、前述した特開２００１−２５５３８６号公報に記載されている電子機器の構成を用いて時刻情報を含むＦＭ放送を検索し、受信周波数を当該検索した放送信号に設定しても、設定した受信周波数の時刻情報を含むＦＭ放送から１分毎に送信される時刻情報を正確に受信することができないことがある。また、設定した受信周波数によって、１分毎に送信される時刻情報を正確に受信することができなかった場合は、他の時刻情報を含むＦＭ放送を検索し、検索したＦＭ放送を受信周波数として設定した後に、その設定したＦＭ放送から時刻情報を受信するが、時刻情報を含むＦＭ放送を検索する際に、受信するＦＭ放送の電波が微弱であったり、受信できるときと受信できないときを繰り返すＦＭ放送を繰り返して検索してしまった場合は、受信するＦＭ放送の受信周波数を何度変更しても、受信したＦＭ信号の中から１分毎に送信される時刻情報を受信できない虞がある。このため、時刻の補正ができなかったり、時刻の補正が完了するまでに時間を要してしまう。
【００１６】
本発明は、時刻を表示する時刻表示部を備える受信装置において、時刻情報を含んでいないＦＭ放送を聴取している場合及び時刻情報を含んでいるＦＭ放送であっても時刻情報を受信できない場合、時刻表示部が表示する時刻を複数の多数な操作をすることなしに簡単に補正し表示することができる受信装置を提供することを目的とする。
【００１７】
【課題を解決するための手段】
本願の請求項１記載の発明は、時刻を表示する時刻表示部を備える受信装置において、時刻情報を含むＦＭ信号を受信するＦＭ信号同調部と、前記ＦＭ信号同調部が受信するＦＭ信号の受信周波数を設定する周波数設定部と、前記周波数設定部が設定する受信周波数を周波数データとして記憶する第１の記憶部と、予め複数の周波数データを記憶する第２の記憶部と、前記時刻表示部が表示する時刻の補正を指示する指示信号を出力する指示信号出力部と、前記指示信号出力部から指示信号が出力されると前記周波数設定部が設定する受信周波数を前記第２の記憶部に記憶した周波数データの中から選定するよう制御する制御部と、前記ＦＭ信号同調部が受信した電波から時刻信号を抽出する時刻信号抽出部と、前記時刻信号抽出部が時刻信号を抽出できたか否かを判別し抽出の可否を示す判別信号を出力する抽出可否判別部とを備え、前記第２の記憶部は、予め記憶した周波数データ毎に前記周波数設定部が設定した設定回数及び前記抽出可否判別部が時刻情報を抽出したことを示す判別信号を出力した回数を記憶し、前記制御部は、前記第２の記憶部に記憶した設定回数及び判別信号を出力した回数に基づき予め記憶した周波数データ毎の時刻情報を抽出する割合の値を算出し、当該算出した値の高い周波数データを前記周波数設定部が設定する受信周波数とするよう制御することを特徴とする。
【００１８】
本願の請求項２記載の発明は、請求項１記載の受信装置において、前記制御部は、前記抽出可否判別部が時刻情報を抽出したことを示す判別信号を出力すると、前記第１の記憶部に記憶した周波数データを前記周波数設定部が設定する受信周波数とするよう制御することを特徴とする。
【００１９】
本願の請求項３記載の発明は、請求項１または請求項２記載の受信装置において、前記制御部は、前記抽出可否判別部から時刻情報を抽出できないことを示す判別信号が出力されると、前記周波数設定手段が設定する受信周波数を変更して設定するよう制御することを特徴とする。
【００２０】
【発明の実施の形態】
本発明の一実施例について図面を参照して説明する。なお、従来技術で示した構成と同一の構成については同じ符号を用いる。
【００２１】
図１は、本発明の一実施例の受信装置の構成を示すブロック図である。
受信装置１は、受信部２、周波数設定部３、ＦＭ信号復調部４、信号増幅部５、時刻信号抽出部６、第２の記憶部７、制御部８、操作部９、時計部１０、表示部１１、出力部１２及び第１の記憶部１５を備える。
【００２２】
受信装置１の構成について説明する。
【００２３】
受信部２は、ＦＭ放送局から放送されるＦＭ信号を受信する。操作部９は、受信を希望するＦＭ放送の周波数を指示する周波数指示信号を出力する。
【００２４】
第１の記憶部１５は、メモリーから成り、操作部９により指示されたＦＭ放送の周波数を受信周波数データとして記憶する。
【００２５】
周波数設定部３は、周波数指示信号によって指示された周波数帯域のＦＭ放送を受信するよう周波数を設定し、受信部２が受信したＦＭ信号をＦＭ信号復調部４へ出力する。ＦＭ信号復調部４は、入力したＦＭ信号からオーディオ信号を復調し、信号増幅部５へ出力する。信号増幅部５は、入力したオーディオ信号を増幅し、出力部１２へ出力する。出力部１２は、入力したオーディオ信号を出力する。
【００２６】
時計部１０は、水晶発振回路を備え、当該水晶発振回路から予め定めた一定間隔のパルス信号を発生し、発生したパルス信号をカウントすることによって時刻情報を生成する。表示部１１は、時計部１０によって生成された時刻情報を表示する。
【００２７】
操作部９は、時刻情報を含むＦＭ信号を送信する３つのＦＭ放送の周波数を第２の記憶部７が記憶するよう指示する記憶指示信号を出力する。第２の記憶部７は、メモリーから成り、第１の記憶領域７０１〜第３の記憶領域７０３を備える。第２の記憶部７は、操作部９から出力された記憶指示信号に基づいて、第１の記憶領域７０１〜第３の記憶領域７０３にそれぞれ第１の周波数データ〜第３の周波数データを記憶する。
【００２８】
操作部９は、表示部１１によって表示される時刻情報の補正を指示する補正指示信号を出力する。制御部８は、操作部９から補正指示信号が出力されると、第２の記憶部７の第１の記憶領域７０１〜第３の記憶領域７０３に記憶している第１の周波数データ〜第３の周波数データの中から任意の周波数データを選定する。制御部８は、選定した周波数データに基づいて、受信周波数を設定するよう指示する選定指示信号を周波数設定部３に出力する。制御部８が周波数データを選定する方法については、後述する。
【００２９】
制御部８は、第１の周波数データ〜第３の周波数データの中から任意の周波数データを選定すると、選定した周波数データが記憶されている記憶領域に当該周波数データを選定した累計回数を記憶するよう第２の記憶部７を制御する。第２の記憶部７は、制御部８の制御により、第１の記憶領域７０１〜第３の記憶領域７０３に記憶されている周波数データが制御部８によって選定された累計回数を、選定累計回数データとしてそれぞれの記憶領域に記憶する。
【００３０】
周波数設定部３は、第１の記憶領域７０１〜第３の記憶領域７０３に記憶されている周波数データの中から、制御部８が選定した周波数データに対応する周波数を受信周波数として設定する。
【００３１】
時刻信号抽出部６は、制御部８の制御により、周波数設定部３から出力されたＦＭ信号に時刻情報が含まれている場合、当該時刻情報を抽出する。抽出可否判別部１６は、時刻信号抽出部６が時刻情報を抽出することができたか否かを判別する。抽出可否判別部１６は、時刻信号抽出部６が時刻信号を抽出することができた場合、時刻信号が抽出できたことを示す信号（第１の判別信号）を出力し、時刻信号を抽出することができない場合、時刻信号が抽出できないことを示す信号（第２の判別信号）を出力する。
【００３２】
制御部８は、抽出可否判別部１６から第１の判別信号が出力されると、周波数設定部３が設定する周波数に対応する周波数データが記憶されている記憶領域に第１の判別信号が出力された累計回数を記憶するよう第２の記憶部７を制御する。第２の記憶部７は、制御部８の制御により、周波数設定部３が設定する周波数に対応する周波数データが記憶されている記憶領域に第１の判別信号が出力された累計回数を第１判別累計回数データとして記憶する。
【００３３】
制御部８は、抽出可否判別部１６から第１の判別信号が出力されると、時刻信号抽出部６が抽出した時刻情報に基づいて、時計部１０が生成する時刻情報を補正するよう制御する。時計部１０は、制御部８の制御により、時刻信号抽出部６から出力された時刻情報に基づいて、生成した時刻情報を補正する。
【００３４】
制御部８は、抽出可否判別部１６から第２の判別信号が出力されると、周波数設定部３が設定している周波数に対応する周波数データを除いて、新たに設定する受信周波数に対応する周波数データを第２の記憶部７の第１の記憶領域７０１〜第３の記憶領域７０３に記憶されている周波数データの中から選定し、選定した周波数データに対応する周波数を受信周波数として設定するよう周波数設定部３を制御する。
【００３５】
時計部１０は、生成した時刻情報の補正が完了すると、制御部８へ時刻情報の補正が完了したことを示す完了信号を出力する。制御部８は、時計部１０から完了信号が出力されると、周波数設定部３が設定する受信周波数を、第１の記憶部１５に記憶されている受信周波数に変更する、即ち、操作部９から補正指示信号が出力される前に周波数設定部３が設定していた周波数に戻すよう制御する。
【００３６】
次に、制御部８が第１の記憶領域７０１〜第３の記憶領域７０３に記憶されている周波数データの中から周波数データを選定する選定方法について説明する。
【００３７】
初めに、制御部８は、それぞれ第１の記憶領域７０１〜第３の記憶領域７０３に記憶されている選定累計回数データ及び第１判別累計回数データに基づいて、各記憶領域に記憶されている周波数データが選定された累計回数に対する第１の判別信号が出力された累計回数の割合、即ち、（第１判別累計回数データ）／（選定累計回数データ）＝Ａの値を各記憶領域毎に算出する。制御部８は、操作部９から補正指示信号が出力されると、第１の記憶領域７０１〜第３の記憶領域７０３に記憶されている周波数データのうち、算出したＡの値が一番大きい記憶領域に記憶されている周波数データに対応する周波数を周波数設定部３が設定する受信周波数とするよう制御する。尚、第１の記憶領域７０１〜第３の記憶領域７０３の何れにも選定累計回数データ及び第１判別累計回数データが記憶されていない場合は、第１の記憶領域７０１に記憶されている周波数データに対応する周波数を周波数設定部３が設定する受信周波数とするよう制御する。
【００３８】
この状態から、抽出可否判別部１６から第２の判別信号が出力されると、制御部８は、第１の記憶領域７０１〜第３の記憶領域７０３に記憶されている周波数データのうち、算出したＡの値が２番目に大きい値を示す記憶領域に記憶されている周波数データに対応する周波数を周波数設定部３が設定する受信周波数とするよう制御する。
【００３９】
更に、抽出可否判別部１６から第２の判別信号が出力されると、制御部８は、第１の記憶領域７０１〜第３の記憶領域７０３に記憶されている周波数データのうち、算出したＡの値が３番目に大きい値を示す記憶領域に記憶されている周波数データに対応する周波数を周波数設定部３が設定する受信周波数とするよう制御する。
【００４０】
以上の構成により、本実施例の受信装置１は、操作部９から記憶指示信号を出力して第２の記憶部７の第１の記憶領域７０１〜第３の記憶領域７０３に予め時刻情報を含んだＦＭ放送の周波数データを記憶しておくことにより、時刻情報を含まない電波を受信している状態から操作部９を操作して補正指示信号を出力することで、第１の記憶領域７０１〜第３の記憶領域７０３に記憶した周波数データの中から制御部８が選定した周波数データに対応する周波数を周波数設定部３が受信する周波数に設定し、ＦＭ信号から抽出した時刻情報に基づいて、時計部１０が生成する時刻情報を補正する。そして、受信装置１は、時計部１０が生成する時刻情報を補正した後、受信するＦＭ放送の受信周波数を操作部９から補正指示信号を出力する以前の周波数とする。
【００４１】
これにより、受信装置１は、現在受信しているＦＭ放送の電波が時刻情報を含んでいるか否かに拘わらず、操作部９を操作することで、表示部１１の時刻の表示を補正することができ、また、表示部１１の時刻の表示の補正が完了した後は、受信する電波の受信周波数が自動的に元の周波数に戻るので、受信周波数を変更する作業をしなくても元の受信周波数の電波を再度受信することができる。
【００４２】
本実施例の受信装置１は、制御部８の制御により、第１の記憶領域７０１〜第３の記憶領域７０３の各記憶領域に記憶した周波数データの中から、時刻情報を抽出することができた割合の高い周波数データを優先して時刻補正に用いる周波数とする。そして、この設定した受信周波数によって時刻情報が抽出できない場合は、他の周波数データの中から時刻情報を抽出する割合の高い周波数を順に時刻補正に用いる周波数とする。
【００４３】
これにより、受信装置１は、予め第１の記憶領域７０１〜第３の記憶領域７０３に記憶した周波数データのうち、制御部８が時刻情報を抽出することができる確率が高い周波数データに対応する周波数を時刻補正に用いる周波数として設定するよう選定するので、操作部９から補正指示信号を出力してから表示部１１の時刻情報を補正するまでの時間を短縮することができる。
【００４４】
また、受信装置１の周囲に障害物がある等の理由により、制御部８が選定した周波数のＦＭ信号から時刻情報を抽出できない場合は、各記憶領域に記憶されている周波数データの中から、当該選定している周波数に対応した周波数データを除いて、時刻情報を抽出することができる確率が高い周波数データを優先して周波数設定部３が設定する受信周波数とするので、表示部１１の時刻の表示の補正を正確に行うことができる。
【００４５】
本実施例の受信装置１は、第１の記憶領域７０１〜第３の記憶領域７０３の合計３つの記憶領域を備え、それぞれの記憶領域に周波数データを予め記憶させる構成としたが、２つの記憶領域または３つ以上の記憶領域を備え、それぞれの記憶領域に周波数データを予め記憶させる構成としても良い。
【００４６】
【発明の効果】
本発明によれば、時刻を表示する時刻表示部を備える受信装置において、時刻情報を含んでいないＦＭ放送を聴取している場合及び時刻情報を含んでいるＦＭ放送であっても時刻情報を受信できない場合、時刻表示部が表示する時刻を複雑で多数の操作をすることなしに簡単に補正し表示することができる受信装置を提供することができる。
【図面の簡単な説明】
【図１】本実施例の受信装置１の構成を示すブロック図。
【図２】従来の受信装置１００の構成を示すブロック図。
【符号の説明】
１　受信装置、２　受信部、３　周波数設定部、４　ＦＭ信号復調部、
５　信号増幅部、６　時刻信号抽出部、７　第２の記憶部、
７０１　第１の記憶領域、７０２　第２の記憶領域、７０３　第３の記憶領域、８　制御部、８０１　第１の記憶部、
９　操作部、１０　時計部、１１　表示部、１２　出力部、
１５　第１の記憶部、１６　抽出可否判別部、
１００　受信装置、６００　時刻信号抽出部、８００　制御部
【図１】
2004069567.tif 000003
【図２】
2004069567.tif 000004